(57)【要約】  本開示は、モバイル通信システムにおいてスケジューラにより時間−周波数無線リソースを配分するリソース配分手順に関する。複数のヌメロロジ方式が規定され、それぞれが、モバイル通信システムの複数の無線リソースをリソーススケジューリングユニットへと別様に区切っている。参照リソースセットがヌメロロジ方式ごとに規定され、それぞれ、各ヌメロロジ方式に従って配分されるように使用可能な無線リソースセットに関連付けられている。少なくとも１つのヌメロロジ方式の参照リソースセットは、周波数および／または時間領域において、少なくとも別のヌメロロジ方式の参照リソースセットと重なっている。リソース配分手順は、ヌメロロジ方式に従って、無線リソースを１つまたは複数のユーザ端末に配分するように実行される。リソース配分手順は、各ヌメロロジ方式に対して規定されたスケジューリング時間インターバルに基づいてヌメロロジ方式ごとに実行される。【選択図】  図８
2019532533.tif 000002
【特許請求の範囲】
【請求項１】
モバイル通信システムのスケジューラにより時間−周波数無線リソースを配分する方法であり、前記モバイル通信システムの複数の時間−周波数無線リソースをリソーススケジューリングユニットへとそれぞれ別様に区切る複数のヌメロロジ方式が規定された、方法であって、
参照リソースセットがヌメロロジ方式ごとに規定され、各参照リソースセットが、前記各ヌメロロジ方式に従って配分されるように使用可能な時間−周波数無線リソースセットに関連付けられており、少なくとも１つのヌメロロジ方式の前記参照リソースセットが、周波数領域および／または時間領域において、少なくとも別のヌメロロジ方式の前記参照リソースセットと重なっており、
当該方法が、
前記スケジューラにより実行される、前記複数のヌメロロジ方式に従って、時間−周波数無線リソースを１つまたは複数のユーザ端末に配分するリソース配分手順を実行するステップを含み、
前記リソース配分手順が、前記各ヌメロロジ方式に対して規定されたスケジューリング時間インターバルに基づいてヌメロロジ方式ごとに実行される、
方法。
【請求項２】
前記リソース配分手順が、時間領域または周波数領域において互いに重なることなく前記各参照リソースセットに基づいて、前記時間領域および／または前記周波数領域において前記複数の時間−周波数無線リソース全体で前記複数のヌメロロジ方式が多重化されるように実行され、
任意選択として、ヌメロロジ方式の前記参照リソースセットが、前記各ヌメロロジ方式に従って、前記リソース配分手順において配分可能な前記無線リソースに対する制限を設定する、
請求項１に記載の方法。
【請求項３】
ヌメロロジ方式の前記参照リソースセットが、前記複数の時間−周波数無線リソースの一部または前記複数の時間−周波数無線リソースの全部と関連付けられており、
任意選択として、前記複数の時間−周波数無線リソースの前記一部が、連続または非連続周波数および／または期間で構成されており、
任意選択として、１つの参照リソースセットの別の参照リソースセットとの重なりが部分的または全体的である、
請求項１または２に記載の方法。
【請求項４】
ヌメロロジ方式に従った前記複数の時間−周波数無線リソースの前記区切りが、
２つの連続するサブキャリア間の周波数距離を規定するサブキャリア間隔およびシンボル持続時間、
リソーススケジューリングユニット当たりのサブキャリア数、ならびに
リソーススケジューリングユニット当たりのシンボル数、
というヌメロロジ特性のうちの少なくとも１つにおいて、別のヌメロロジ方式に従った前記複数の時間−周波数無線リソースの前記区切りと異なっており、
任意選択として、ヌメロロジ方式の前記ヌメロロジ特性が、特定のユーザサービスの要件が満たされるように決まる、
請求項１〜３のいずれか一項に記載の方法。
【請求項５】
各ヌメロロジ方式に関して、少なくとも１つの制御情報領域が前記各ヌメロロジ方式の前記参照リソースセット内に規定され、前記制御情報領域の時間−周波数無線リソースを前記スケジューラが使用することにより、リソース配分情報をユーザ端末に送信して、前記各ヌメロロジ方式に従ってデータ送信用の無線リソースを配分することが可能であり、
任意選択として、少なくとも１つのヌメロロジ方式の前記制御情報領域が、少なくとも１つの他のヌメロロジ方式の前記制御情報領域と重なっており、
任意選択として、１つのヌメロロジ方式の前記制御情報領域の前記時間−周波数無線リソースが、別のヌメロロジ方式に従って、データ送信用に配分されるように使用可能であり、
任意選択として、ユーザ端末が、当該ユーザ端末が対応する前記１つまたは複数のヌメロロジ方式それぞれの前記制御情報領域をモニタリングすることにより、当該ユーザ端末宛てのリソース配分情報を受信し、
任意選択として、前記複数のヌメロロジ方式の前記制御情報領域に関する情報が前記スケジューラによって前記ユーザ端末に送信される、
請求項１〜４のいずれか一項に記載の方法。
【請求項６】
共通制御情報領域が前記複数のヌメロロジ方式のうちの１つの前記参照リソースセット内に規定され、前記共通制御情報領域の時間−周波数無線リソースを前記スケジューラが使用することにより、リソース配分情報をユーザ端末に送信して、少なくとも別のヌメロロジ方式に従ってデータ送信用の無線リソースを配分することが可能である、
請求項１〜４のいずれか一項に記載の方法。
【請求項７】
第１のヌメロロジ方式に関して前記リソース配分手順を実行した後、前記第１のヌメロロジ方式に従って配分された時間−周波数無線リソースが、
前記第１のヌメロロジ方式に従って配分された前記時間−周波数無線リソースの上書きであり、当該上書きされた時間−周波数無線リソースに関する情報が前記スケジューラによりブロードキャストされる、上書き、または、
前記第１のヌメロロジ方式に従って配分された前記時間−周波数無線リソースの上書きおよび前記第１のヌメロロジ方式に従って配分された後続の時間−周波数無線リソースのレートマッチングの追加の実行であり、当該上書きされた時間−周波数無線リソースに関する情報が前記スケジューラによりブロードキャストされる、上書きおよびレートマッチングの追加の実行、
によって、前記第１のヌメロロジ方式よりもスケジューリング時間インターバルが短い第２のヌメロロジ方式に従って再配分される、
請求項１〜６のいずれか一項に記載の方法。
【請求項８】
第１のヌメロロジ方式に従って配分された時間−周波数無線リソースのリソース配分情報が、前記配分された時間−周波数無線リソース内で予約され、前記第１のヌメロロジ方式よりもスケジューリング時間インターバルが短い第２のヌメロロジ方式に従って配分される予約時間−周波数無線リソースを示す、
請求項１〜７のいずれか一項に記載の方法。
【請求項９】
モバイル通信システムにおいて時間−周波数無線リソースを配分するスケジューラからユーザ端末がリソース配分情報を受信する方法であり、前記モバイル通信システムの複数の時間−周波数無線リソースをリソーススケジューリングユニットへとそれぞれ別様に区切る複数のヌメロロジ方式が規定された、方法であって、
参照リソースセットがヌメロロジ方式ごとに規定され、各参照リソースセットが、前記各ヌメロロジ方式に従って配分されるように使用可能な時間−周波数無線リソースセットに関連付けられており、少なくとも１つのヌメロロジ方式の前記参照リソースセットが、周波数領域および／または時間領域において、少なくとも別のヌメロロジ方式の前記参照リソースセットと重なっており、前記スケジューラがリソース配分手順を実行することにより、前記複数のヌメロロジ方式に従って、時間−周波数無線リソースを１つまたは複数のユーザ端末に配分し、前記リソース配分手順が、前記各ヌメロロジ方式に対して規定されたスケジューリング時間インターバルに基づいてヌメロロジ方式ごとに前記スケジューラにより実行され、
当該方法が、
前記ユーザ端末により実行される、前記スケジューラによって前記ユーザ端末に配分された前記無線リソースに関するリソース配分情報を受信するステップを含む、
方法。
【請求項１０】
モバイル通信システムにおいて時間−周波数無線リソースを配分するスケジューラであり、前記モバイル通信システムの複数の時間−周波数無線リソースをリソーススケジューリングユニットへとそれぞれ別様に区切る複数のヌメロロジ方式が規定された、スケジューラであって、
参照リソースセットがヌメロロジ方式ごとに規定され、各参照リソースセットが、前記各ヌメロロジ方式に従って配分されるように使用可能な時間−周波数無線リソースセットに関連付けられており、少なくとも１つのヌメロロジ方式の前記参照リソースセットが、周波数領域および／または時間領域において、少なくとも別のヌメロロジ方式の前記参照リソースセットと重なっており、
当該スケジューラが、動作時に、
前記複数のヌメロロジ方式に従って、時間−周波数無線リソースを１つまたは複数のユーザ端末に配分するリソース配分手順を実行する、プロセッサを備え、
前記リソース配分手順が、前記各ヌメロロジ方式に対して規定されたスケジューリング時間インターバルに基づいてヌメロロジ方式ごとに前記プロセッサにより実行される、
スケジューラ。
【請求項１１】
モバイル通信システムにおいて時間−周波数無線リソースを配分するスケジューラからリソース配分情報を受信するユーザ端末であり、前記モバイル通信システムの複数の時間−周波数無線リソースをリソーススケジューリングユニットへとそれぞれ別様に区切る複数のヌメロロジ方式が規定された、ユーザ端末であって、
参照リソースセットがヌメロロジ方式ごとに規定され、各参照リソースセットが、前記各ヌメロロジ方式に従って配分されるように使用可能な時間−周波数無線リソースセットに関連付けられており、少なくとも１つのヌメロロジ方式の前記参照リソースセットが、周波数領域および／または時間領域において、少なくとも別のヌメロロジ方式の前記参照リソースセットと重なっており、前記スケジューラがリソース配分手順を実行することにより、前記複数のヌメロロジ方式に従って、時間−周波数無線リソースを１つまたは複数のユーザ端末に配分し、前記リソース配分手順が、前記各ヌメロロジ方式に対して規定されたスケジューリング時間インターバルに基づいてヌメロロジ方式ごとに前記スケジューラにより実行され、
当該ユーザ端末が、動作時に
前記スケジューラによって当該ユーザ端末に配分された前記時間−周波数無線リソースに関するリソース配分情報を受信する受信機を備えた、
ユーザ端末。
【請求項１２】
前記リソース配分手順が、時間領域または周波数領域において互いに重なることなく前記各参照リソースセットに基づいて、前記時間領域および／または周波数領域において前記複数の時間−周波数無線リソース全体で前記複数のヌメロロジ方式が多重化されるように前記スケジューラによって実行され、
任意選択として、ヌメロロジ方式の前記参照リソースセットが、前記各ヌメロロジ方式に従って、前記リソース配分手順において配分可能な前記無線リソースに対する制限を設定する、
請求項１１に記載のユーザ端末。
【請求項１３】
各ヌメロロジ方式の前記参照リソースセットに関する情報が、前記スケジューラによるブロードキャストを通じて受信機により受信され、
任意選択として、各ヌメロロジ方式の前記参照リソースセットが、準静的に設定された、
請求項１１または１２に記載のユーザ端末。
【請求項１４】
各ヌメロロジ方式に関して、少なくとも１つの制御情報領域が前記各ヌメロロジ方式の前記参照リソースセット内に規定され、前記制御情報領域の時間−周波数無線リソースを前記スケジューラが使用することにより、リソース配分情報をユーザ端末に送信して、前記各ヌメロロジ方式に従ってデータ送信用の無線リソースを配分することが可能であり、
任意選択として、少なくとも１つのヌメロロジ方式の前記制御情報領域が、少なくとも１つの他のヌメロロジ方式の前記制御情報領域と重なっており、
任意選択として、１つのヌメロロジ方式の前記制御情報領域の前記時間−周波数無線リソースが、別のヌメロロジ方式に従って、データ送信用に配分されるように使用可能であり、
任意選択として、当該ユーザ端末が、当該ユーザ端末が対応する前記１つまたは複数のヌメロロジ方式それぞれの前記制御情報領域をモニタリングすることにより、当該ユーザ端末宛てのリソース配分情報を受信し、
任意選択として、前記複数のヌメロロジ方式の前記制御情報領域に関する情報が前記スケジューラによって当該ユーザ端末に送信される、
請求項１１〜１３のいずれか一項に記載のユーザ端末。
【請求項１５】
共通制御情報領域が前記複数のヌメロロジ方式のうちの１つの前記参照リソースセット内に規定され、前記共通制御情報領域の時間−周波数無線リソースを前記スケジューラが使用することにより、リソース配分情報をユーザ端末に送信して、少なくとも別のヌメロロジ方式に従ってデータ送信用の無線リソースを配分することが可能であり、
当該ユーザ端末が、前記共通制御情報領域をモニタリングすることにより、当該ユーザ端末宛てのリソース配分情報を受信する、
請求項１１〜１３のいずれか一項に記載のユーザ端末。
【発明の詳細な説明】
【技術分野】
【０００１】
本開示は、複数の異なるＯＦＤＭヌメロロジ（NUMEROLOGY）方式を含むモバイル通信システムにおける改良された無線リソース配分手順に関する。本開示は、対応する方法、無線基地局、およびユーザ端末を提供している。
【背景技術】
【０００２】
次世代セルラー技術（別称５Ｇ）の技術仕様書の第１版を２０１８年６月に提供するため（Ｒｅｌ．１５）、３ＧＰＰ内では、５Ｇの研究がすでに始まっていた。３ＧＰＰ  ＴＳＧ  ＲＡＮ＃７１ミーティング（ヨーテボリ、２０１６年３月）において、ＲＡＮ１、ＲＡＮ２、ＲＡＮ３、およびＲＡＮ４を含む最初の５Ｇ研究項目「Ｓｔｕｄｙ  ｏｎ  Ｎｅｗ  Ｒａｄｉｏ  Ａｃｃｅｓｓ  Ｔｅｃｈｎｏｌｏｇｙ」が承認された。この５Ｇ研究項目は、最初の５Ｇ規格を規定するＲｅｌ．１５作業項目になると予想されるため、重要な３ＧＰＰマイルストーンである。
【０００３】
この研究項目の目標は、「新規無線（ＮＲ）」アクセス技術を開発して、高度モバイルブロードバンド（ｅＭＢＢ）、大規模ＭＴＣ（ｍＭＴＣ）、クリティカルＭＴＣ、およびＲＡＮ要件研究において規定される別の要件を含む広範なユーザケースを満たすことである。新規無線アクセス技術（ＲＡＴ）では、最大１００ＧＨｚの周波数範囲が考慮されるものと予想される（たとえば、そのすべての内容を本明細書に援用する非特許文献１を参照のこと）。
【０００４】
１つの目的として、少なくとも高度モバイルブロードバンド（ｅＭＢＢ）、超高信頼低遅延通信（ＵＲＬＬＣ）、大規模マシンタイプ通信（ｍＭＴＣ）を含む非特許文献１に規定のすべての使用シナリオ、要件、および配置シナリオに対応する単一の技術フレームワークを提供することが挙げられる。たとえば、ｅＭＢＢ配置シナリオには、屋内ホットスポット、過密都市、地方、都市マクロ、および高速を含んでいてもよい。ＵＲＬＬＣ配置シナリオには、産業用制御システム、モバイルヘルスケア（遠隔モニタリング、診断、および治療）、車両の実時間制御、スマートグリッドの広域モニタリングおよび制御システムを含んでいてもよい。ｍＭＴＣには、スマートウェアラブルおよびセンサネットワーク等のデータ転送に緊急を要さない多数のデバイスを伴うシナリオを含んでいてもよい。第２の目的は、前方互換性を実現することである。
【０００５】
フェーズＩ（２０１８年６月に完了）およびフェーズＩＩ（２０１９年１２月に完了）という２つのフェーズにおいて、規範的仕様が生じるものと仮定する。新規ＲＡＴのフェーズＩ仕様は、（効率的な共通セル／サイト／キャリア動作の観点で）フェーズＩＩ仕様以降と前方互換である必要がある一方、ＬＴＥに対する後方互換性は求められていない。新規ＲＡＴのフェーズＩＩ仕様は、フェーズＩ仕様を基礎として構築するが、新規ＲＡＴに関して設定された要件をすべて満たすものとする。後々進歩する特徴に対応するとともに、フェーズＩＩ仕様より後に特定されるサービス要件のサポートを可能にするため、フェーズＩＩ以降の円滑な将来展開が保証される必要がある。
【０００６】
基本的な物理レイヤ信号波形は、ＯＦＤＭに基づきつつ、非直交波形および多重アクセスにも潜在的に対応することになる。たとえば、ＯＦＤＭに加えて、ＤＦＴ−Ｓ−ＯＦＤＭ、および／またはＤＦＴ−Ｓ−ＯＦＤＭの異形、および／またはフィルタリング／ウィンドウイング等の別の機能もさらに考慮する。ＬＴＥにおいては、ダウンリンクおよびアップリンク送信それぞれの波形として、ＣＰベースのＯＦＤＭおよびＤＦＴ−Ｓ−ＯＦＤＭが用いられる。ＮＲにおける設計目標の１つは、ダウンリンク、アップリンク、およびサイドリンクに関して、可能な限り共通の波形を見出すことである。いくつかの企業によって、アップリンク送信の場合によってはＤＦＴ拡散の導入が不要となり得ることが確認されている。
【０００７】
前述の目的を達成するため、波形のほか、いくつかの基本フレーム構造およびチャネルコード化方式が開発されることになる。
【０００８】
また、この研究では、前述の目的を達成するために無線プロトコル構造およびアーキテクチャの観点で必要となるものについての共通理解を見出すものとする。
【０００９】
さらに、同じ連続スペクトルブロック上での異なるサービスおよび使用ケースに対する効率的なトラヒックの多重化を含めて、新規ＲＡＴが前述の目的を満たすのに必要な技術的特徴を研究するものとする。
【００１０】
非特許文献１において特定される通り、ＮＲのさまざまな使用ケース／配置シナリオは、データレート、遅延、およびサービスエリアの観点で多様な要件を有する。たとえば、ｅＭＢＢは、ＩＭＴアドバンストが提供するレートの約３倍のピークデータレート（ダウンリンクで２０Ｇｂｐｓ、アップリンクで１０Ｇｂｐｓ）およびユーザ体験データレートに対応するものと予想される。一方、ＵＲＬＬＣの場合は、より厳しい要件が超低遅延（ＵＬおよびＤＬについて０．５ｍｓ（それぞれユーザプレーン遅延の場合））および高信頼性（１ｍｓに１〜１０−５）に設定されている。最後に、ｍＭＴＣでは、高接続密度（都市環境で１，０００，０００デバイス／ｋｍ２）、過酷な環境における大きなサービスエリア、および低コストデバイス用の極長寿命バッテリ（１５年）が求められる。
【００１１】
したがって、１つの使用ケースに適したＯＦＤＭヌメロロジ（たとえば、サブキャリア間隔、ＯＦＤＭシンボル持続時間、巡回プレフィックス（ＣＰ）持続時間、スケジューリングインターバル当たりのシンボル数）でも、別のケースでは十分に作用しない場合がある。たとえば、低遅延用途では、ｍＭＴＣ用途よりも短いシンボル持続時間（大きなサブキャリア間隔）および／またはスケジューリングインターバル（別称ＴＴＩ）当たりの少ないシンボル数が必要となる場合もある。さらに、チャネル遅延拡散が大きな配置シナリオでは、遅延拡散が小さなシナリオよりも長いＣＰ持続時間が必要となる。これに応じて、同様のＣＰオーバヘッドを維持するため、サブキャリア間隔が最適化されるものとする。
【００１２】
３ＧＰＰ  ＲＡＮ＃８４ｂｉｓミーティング（釜山、２０１６年４月）においては、ＮＲが２つ以上のサブキャリア間隔値に対応することが必要との合意に至った。サブキャリア間隔の値は、サブキャリア間隔にＮ（整数）を乗じた特定の値に由来する。最新のＲＡＮ１ミーティングであるＲＡＮ１＃８５（南京、２０１６年５月）においては、作業の前提として、１５ｋＨｚサブキャリア間隔を含むＬＴＥベースのヌメロロジがＮＲヌメロロジの基本設計であるとの結論に至った。倍率Ｎに関しては、ＮＲヌメロロジの基本設計の前提として、Ｎ＝２ｎとの結論に至った。将来のミーティングでは、ヌメロロジ候補の絞り込み選択がなされる可能性もある。これに対応して、１５ｋＨｚ、３０ｋＨｚ、６０ｋＨｚ・・・というサブキャリア間隔を考慮している。図１Ａ〜図１Ｃは、３つの異なるサブキャリア間隔（１５ｋＨｚ、３０ｋＨｚ、および６０ｋＨｚ）ならびに対応するシンボル持続時間を示している。シンボル持続時間Ｔｕおよびサブキャリア間隔Δｆは、式Δｆ＝１／Ｔｕによって直接関連付けられている。ＬＴＥシステムと同様に、用語「リソースエレメント」の使用によって、１つのＯＦＤＭ／ＳＣ−ＦＭＡシンボルの長さに対して１つのサブキャリアで構成された最小リソース部を表すことができる。
【００１３】
また、最新のＲＡＮ１ミーティングにおいては、ＲＡＮ１  ＮＲ波形性能基準として、ＣＰを伴うＯＦＤＭおよびＣＰを伴うＤＦＴ−Ｓ−ＯＦＤＭ（ＳＣ−ＦＤＭＡ）という２つのＯＦＤＭベースの波形が用いられるものとする合意に至った。ＲＡＮ１＃８４ｂｉｓおよび＃８５ミーティングにおいて提案されたすべての波形は、合意に至った評価前提に基づいて評価可能である。各企業は、ＯＦＤＭ波形の評価に適用されるＤＦＴ拡散、ガードインターバル、Ｔｘ／Ｒｘフィルタリングおよび／またはウィンドウイングに関する詳細を提供するものとする。将来のミーティングでは、ＮＲの波形候補の絞り込みがなされることになる。
【００１４】
また、ＮＲは、複数の理由から柔軟なネットワークおよびＵＥチャネル帯域幅に対応するものとし、利用可能なスペクトルひいては考え得る送信帯域幅に関する非常に多様な可能性でギガヘルツ未満から数十ギガヘルツまでの非常に広範なスペクトルにおける動作に対応することが期待されるものと認識されている。ＮＲに用いられる多くの周波数帯は、完全に特定されておらず、スペクトル配分のサイズが未知であることを暗示している。ＮＲは、広範な用途および使用ケースに対応することが期待されるものの、一部では非常に広いＵＥ送信／受信帯域幅が必要であり、その他は非常に低いＵＥ複雑性を必要とし、はるかに低いＵＥ送信／受信帯域幅が暗示される。したがって、ＲＡＮ１＃８５においては、ＮＲ物理レイヤ設計によって、ＮＲキャリア帯域幅の観点での微粒度が可能になるものとする合意に至り、帯域幅能力が異なるデバイスであっても、ＮＲキャリア帯域幅に関わらず同じＮＲキャリアに対して効率的にアクセス可能である。
【００１５】
多様な要件の異なるサービスの多重化に対応するため、３ＧＰＰ  ＲＡＮ１＃８５（南京、２０１６年５月）においては、（ネットワークの視点から）同じＮＲキャリア帯域幅内の異なるヌメロロジの多重化にＮＲが対応することが合意に至った。一方、ＵＥの視点からは、ＵＥが１つまたは２つ以上の使用シナリオに対応し得る（たとえば、ｅＭＢＢ  ＵＥまたはｅＭＢＢおよびＵＲＬＬＣの両者に対応するＵＥ）。一般的に言えば、２つ以上のヌメロロジに対応すると、ＵＥ処理が複雑化する可能性がある。
【００１６】
ネットワークの視点からは、ＮＲキャリア内の周波数領域（別称ＦＤＭ）および時間領域（別称ＴＤＭ）の両者において異なるヌメロロジの多重化を考慮するのが有利となる。異なるヌメロロジの例示的な多重化を図２に示すが、ここでは、ヌメロロジ１をｅＭＢＢに、ヌメロロジ２をＵＲＬＬＣに、ヌメロロジ３をｍＭＴＣに使用することも可能である。ｅＭＢＢおよびＵＲＬＬＣをＴＤＭ化するのが良いのは、両者が非常に広い帯域幅を要求し、ｅＭＢＢが高データレートを実現するのに必要だからである。ＵＲＬＬＣは、優れた周波数ダイバーシティで高信頼性要件を満たすのに、広い帯域幅を必要とする。一方、ｍＭＴＣでは、狭い送信帯域幅しか求められないため、ｅＭＢＢおよび／またはＵＲＬＬＣとのＦＤＭ化が考えられる。
【００１７】
ＬＴＥにおいては、周波数−時間リソースがリソースブロック（ＲＢ）として構造化されるが、１つのＲＢは、周波数領域の１２個の連続するサブキャリアと時間領域の１つの０．５ｍｓスロットとから成る。たとえば、３ＧＰＰ  ＬＴＥにおいては、図３に示すように、各サブフレームが２つのダウンリンクスロットに分割され、第１のダウンリンクスロットが第１のＯＦＤＭシンボル内の制御チャネル領域（ＰＤＣＣＨ領域）を含む。各サブフレームは、時間領域の所与数のＯＦＤＭシンボル（３ＧＰＰ  ＬＴＥ（Ｒｅｌ．８）においては１２個または１４個のＯＦＤＭシンボル）から成り、各ＯＦＤＭシンボルがコンポーネントキャリアの全帯域幅に及ぶ。このため、ＯＦＤＭシンボルはそれぞれ、各サブキャリア上で送信される多くの変調シンボルから成る。ＬＴＥにおいては、ＮＤＬＲＢ×ＮＲＢｓｃ個のサブキャリアおよびＮＤＬｓｙｍｂ個のＯＦＤＭシンボルから成るリソースグリッドによって、各スロットの送信信号が表される。ＮＤＬＲＢは、帯域幅内のリソースブロック数である。数量ＮＤＬＲＢは、セル中に設定されたダウンリンク送信帯域幅によって決まり、以下を満たすものとする。
Ｎｍｉｎ，ＤＬＲＢ≦ＮＤＬＲＢ≦Ｎｍａｘ，ＤＬＲＢ
ここで、Ｎｍｉｎ，ＤＬＲＢ＝６およびＮｍａｘ，ＤＬＲＢ＝１１０はそれぞれ、現行版の仕様が対応する最小および最大ダウンリンク帯域幅である。ＮＲＢｓｃは、１つのリソースブロック内のサブキャリア数である。通常の巡回プレフィックスサブフレーム構造の場合は、ＮＲＢｓｃ＝１２およびＮＤＬｓｙｍｂ＝７である。データ送信用にＵＥに配分する最小リソース粒度は、１つのサブフレーム（すなわち、１つのＴＴＩ）内の２つの時間連続ＲＢから成り、ＲＢ対と称する。言い換えると、最小リソーススケジューリングユニットは、ＲＢ対である。
【００１８】
ＮＲにおいては、最小リソース粒度およびリソーススケジューリングユニットを表す何らかのＲＢ概念も必要になると予想される。ただし、ＲＢの規定は従来、ヌメロロジと厳密に結び付いている。そこで、複数の異なるヌメロロジをスケジューリングする場合には、ＲＢの概念を再考する必要がある。これは、３ＧＰＰにおいて進行中の題目である。
【００１９】
異なるヌメロロジによって、時間−周波数無線リソースがさまざまなサービスに対して如何に効率良く配分されるかについては、依然として不明である。
【先行技術文献】
【非特許文献】
【００２０】
【非特許文献１】3GPP TR 38.913 “Study on Scenarios and Requirements for Next Generation Access Technologies”, current version 0.3.0
【発明の概要】
【発明が解決しようとする課題】
【００２１】
非限定的かつ例示的な実施形態は、改良されたリソース配分手順を提供する。独立請求項は、非限定的かつ例示的な実施形態を提供する。有利な実施形態は、従属請求項の対象である。
【課題を解決するための手段】
【００２２】
上記に対応して、第１の一般的な態様において、本明細書に開示の技術は、モバイル通信システムにおいてスケジューラにより時間−周波数無線リソースを配分する方法を特徴とする。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。この方法は、スケジューラにより、複数のヌメロロジ方式に従って、時間−周波数無線リソースを１つまたは複数のユーザ端末に配分するリソース配分手順を実行するステップを含む。リソース配分手順は、各ヌメロロジ方式に対して規定されたスケジューリング時間インターバルに基づいてヌメロロジ方式ごとに実行される。
【００２３】
上記に対応して、第１の一般的な態様において、本明細書に開示の技術は、モバイル通信システムにおいて時間−周波数無線リソースを配分するスケジューラからユーザ端末がリソース配分情報を受信する方法を特徴とする。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。スケジューラがリソース配分手順を実行することにより、複数のヌメロロジ方式に従って、時間−周波数無線リソースを１つまたは複数のユーザ端末に配分する。リソース配分手順は、各ヌメロロジ方式に対して規定されたスケジューリング時間インターバルに基づいてヌメロロジ方式ごとにスケジューラにより実行される。この方法は、ユーザ端末により実行される、スケジューラによってユーザ端末に配分された無線リソースに関するリソース配分情報を受信するステップを含む。
【００２４】
上記に対応して、第１の一般的な態様において、本明細書に開示の技術は、モバイル通信システムにおいて時間−周波数無線リソースを配分するスケジューラを特徴とする。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。このスケジューラは、複数のヌメロロジ方式に従って、時間−周波数無線リソースを１つまたは複数のユーザ端末に配分するリソース配分手順を実行するプロセッサを備える。リソース配分手順は、各ヌメロロジ方式に対して規定されたスケジューリング時間インターバルに基づいてヌメロロジ方式ごとにプロセッサにより実行される。
【００２５】
上記に対応して、第１の一般的な態様において、本明細書に開示の技術は、モバイル通信システムにおいて時間−周波数無線リソースを配分するスケジューラからリソース配分情報を受信するユーザ端末を特徴とする。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。スケジューラがリソース配分手順を実行することにより、複数のヌメロロジ方式に従って、時間−周波数無線リソースを１つまたは複数のユーザ端末に配分する。リソース配分手順は、各ヌメロロジ方式に対して規定されたスケジューリング時間インターバルに基づいてヌメロロジ方式ごとにスケジューラにより実行される。このユーザ端末は、動作時に、スケジューラによって当該ユーザ端末に配分された時間−周波数無線リソースに関するリソース配分情報を受信する受信機を備える。
【００２６】
開示の実施形態のその他の利益および利点については、本明細書および図面から明らかとなるであろう。これらの利益および／または利点は、本明細書および図面の開示の種々実施形態および特徴により個別にもたらされるようになっていてもよく、そのうちの１つまたは複数を得るためにすべてが提供される必要はない。
【００２７】
これら一般的かつ特定の態様は、システム、方法、およびコンピュータプログラム、ならびにシステム、方法、およびコンピュータプログラムの任意の組み合わせを用いて実装されていてもよい。
【００２８】
以下、添付の図面を参照して、例示的な実施形態をより詳しく説明する。
【図面の簡単な説明】
【００２９】
【図１Ａ】サブキャリア間隔１５ｋＨｚおよび結果としてのシンボル持続時間を示した図である。
【図１Ｂ】サブキャリア間隔３０ｋＨｚおよび結果としてのシンボル持続時間を示した図である。
【図１Ｃ】サブキャリア間隔６０ｋＨｚおよび結果としてのシンボル持続時間を示した図である。
【図２】時間領域および周波数領域の両者における異なるＯＦＤＭヌメロロジの例示的な多重化を示した図である。
【図３】３ＧＰＰ  ＬＴＥ（Ｒｅｌ．８／９）用に規定されたサブフレームのダウンリンクスロットの例示的なダウンリンクリソースグリッドを示した図である。
【図４】無線基地局および３つのユーザ端末を伴う単純な配置シナリオを示した図である。
【図５】３つの異なるヌメロロジ方式に従って無線リソースを対応するリソーススケジューリングユニットへと区切ることを示した図である。
【図６】第１の実施形態の例示的な一実施態様に係る、図５の３つのヌメロロジ方式に対して規定された非重畳公称リソースセットならびに時間領域および周波数領域の両者における３つのヌメロロジ方式の結果としての例示的な多重化を示した図である。
【図７】第１の実施形態の例示的な一実施態様に係る、図５の３つのヌメロロジ方式に対して規定された非重畳公称リソースセットならびに時間領域および周波数領域の両者における３つのヌメロロジ方式の結果としての例示的な多重化を示した図である。
【図８】第１の実施形態の例示的な一実施態様に係る、図５の３つのヌメロロジ方式に対して規定された重畳公称リソースセットならびに時間領域および周波数領域の両者における３つのヌメロロジ方式の結果としての例示的な多重化を示した図である。
【図９】第１の実施形態の例示的な一実施態様に係る、図５の３つのヌメロロジ方式に対して規定された重畳公称リソースセットならびに時間領域および周波数領域の両者における３つのヌメロロジ方式の結果としての例示的な多重化を示した図である。
【図１０】第１の実施形態の例示的な一実施態様に係る、図５の３つのヌメロロジ方式に対して規定された公称リソースセットならびに各ヌメロロジ方式の公称リソースセットにおいて考え得るＤＣＩモニタリング区域を示した図である。
【図１１】第１の実施形態の例示的な一実施態様に係る、図５の３つのヌメロロジ方式に対して規定された公称リソースセットならびに各ヌメロロジ方式の公称リソースセットにおいて考え得るＤＣＩモニタリング区域を示した図である。
【図１２】第１の実施形態の例示的な一実施態様に係る、図５の３つのヌメロロジ方式に対して規定された公称リソースセットならびに各ヌメロロジ方式の公称リソースセットにおいて考え得るＤＣＩモニタリング区域を示した図である。
【図１３】第１の実施形態の例示的な一実施態様に係る、図５の３つのヌメロロジ方式に対して規定された公称リソースセットならびに１つのヌメロロジ方式の公称リソースにおける共通ＤＣＩモニタリング区域を示した図である。
【図１４】第１の実施形態の例示的な一実施態様に係る、図５の３つのヌメロロジ方式に対して規定された公称リソースセットならびに１つのヌメロロジ方式の公称リソースにおける共通ＤＣＩモニタリング区域を示した図である。
【図１５】図５の３つのヌメロロジ方式の多重化ならびにより短いスケジューリング時間インターバルとして、ヌメロロジ方式３の場合の無線リソースの配分を目的としたヌメロロジ方式１および２の過去配分無線リソースの上書きを示した図である。
【図１６】図５の３つのヌメロロジ方式の多重化ならびにより短いスケジューリング時間インターバルとして、ヌメロロジ方式３の場合の無線リソースの配分を目的としたヌメロロジ方式１および２の過去配分無線リソースの上書きを示した図である。
【発明を実施するための形態】
【００３０】
移動局、移動ノード、ユーザ端末、またはユーザ機器（ＵＥ：Ｕｓｅｒ  Ｅｑｕｉｐｍｅｎｔ）は、通信ネットワーク内の物理エンティティである。１つのノードが複数の機能エンティティを有していてもよい。機能エンティティは、所定組の機能の実装ならびに／またはノードもしくはネットワークの他の機能エンティティへの提供を行うソフトウェアまたはハードウェアモジュールを表す。ノードは、通信を可能にする通信設備または媒体にノードを接続する１つまたは複数のインタフェースを有していてもよい。同様に、ネットワークエンティティは、他の機能エンティティまたは対応するノードとの通信を可能にする通信設備または媒体に機能エンティティを接続する論理インタフェースを有していてもよい。
【００３１】
一組の請求項および本願において使用する用語「無線リソース」は、時間−周波数無線リソース等の物理的な無線リソースを表すものとして広く了解されるものとする。
【００３２】
以下の例示的な実施形態は、５Ｇモバイル通信システムを想定した新たな無線技術の改良された無線リソース配分手順を提供する。５Ｇモバイル通信システムに関しては、ほとんど合意に至っていないため、以下では、多くの仮定によって、第１の実施形態の基礎となる原理を説明できるようにする必要がある。ただし、これらの仮定は、ほんの一例に過ぎず、本開示の範囲を制限すべきではないことが了解されるものとする。当業者であれば、本明細書に明示的には記載していない方法で、特許請求の範囲に示す本開示の原理をさまざまなシナリオに適用可能であることに気付くであろう。たとえば、この新たな無線技術は、ＬＴＥ（−Ａ）に対して規定済みの無線技術から発展することになるが、５Ｇモバイル通信システムの要件を満たすように複数の変化が予想され得る。その結果、種々実施形態の特定の例示的な実施態様では、５Ｇ通信システムの新たな無線技術に等しく適用可能であるとともに、第１の実施形態に関して説明する種々実施態様に適用可能である限り、（Ｒｅｌ．１０／１１／１２／１３／１４等により）ＬＴＥ（−Ａ）通信システムに対して規定済みの手順、メッセージ、機能等を依然として再利用することも可能である。
【００３３】
（第１の実施形態）
以下、前述の問題を解決する第１の実施形態を詳細に説明する。第１の実施形態のさまざまな実施態様および変形例についても同様に説明する。
【００３４】
第１の実施形態では、さまざまなＯＦＤＭヌメロロジ間での時間−周波数無線リソースの動的な共有を可能にするリソース配分のフレームワークを提供すると同時に、リソース配分の簡単で効率的な指定を提供する。図４に示すように、無線基地局および複数のユーザ端末を伴う簡単かつ例示的なシナリオを仮定する。図示の３つのＵＥはそれぞれ、背景の項で紹介済みの異なるサービスすなわちｍＭＴＣ、ｅＭＢＢ、およびＵＲＬＬＣサービスに対応する。
【００３５】
背景の項で論じた通り、次世代５Ｇでは、複数の異なるヌメロロジに対応することになっており、これらはモバイル通信システムにおいて共存するとの合意に至った。異なるヌメロロジ方式は、ｅＭＢＢ、ｍＭＴＣ、またはＵＲＬＬＣサービス等の特定のサービスに対して適応されている。３ＧＰＰ標準化は端緒に就いたばかりであり、実際に対応する特定のサービスについては、不確かな点が多いことに留意されたい。ただし、第１の実施形態に関する以下の説明では、ｅＭＢＢ、ｍＭＴＣ、およびＵＲＬＬＣの各サービスでデータ送信が可能となるように、これらのサービスに対して通信システムが同時に対応することを例示的に仮定する。
【００３６】
上記に対応して、サービスそれぞれの各ヌメロロジ方式が規定されており、これらさまざまなヌメロロジ方式により、無線基地局等において、周波数帯の利用可能な時間−周波数無線リソース（６ＧＨｚを下回る特定帯域幅（たとえば、１００ＭＨｚ）のキャリア等）を、スケジューラにより配分可能なリソーススケジューリングユニットへと区切ることができる。説明目的で以下に使用する例示的なシナリオの場合、周波数帯の帯域幅は、４．３ＭＨｚと仮定する。第１の実施形態およびその原理は、異なる周波数帯および帯域幅にも等しく適用可能である。
【００３７】
これに関連して、リソーススケジューリングユニットという用語は、スケジューラによるスケジューリングが可能な最小単位である時間−周波数無線リソース群として了解されるものとする。したがって、リソーススケジューリングユニットは、ヌメロロジ方式の特定の特性に従って、１つまたは複数のシンボルの持続時間にわたる１つまたは複数の連続するサブキャリアで構成された時間−周波数無線リソースを含む。
【００３８】
一般的に、ヌメロロジ方式は、サブキャリア間隔およびシンボル持続時間（互いに直接関連する）、リソーススケジューリングユニット当たりのサブキャリア数、巡回プレフィックス長、またはＴＴＩ長（リソーススケジューリングユニット当たりのシンボル数またはシンボル数を導出可能なリソーススケジューリングユニット当たりの絶対持続時間によって規定されるスケジューリング時間インターバル）等のさまざまなパラメータを特徴とする。その結果、ヌメロロジ方式は、これらヌメロロジ特性のうちの１つまたは複数だけ、互いに異なっていてもよい。ヌメロロジ特性を適当に決定することによって、１つのヌメロロジ方式を特定のサービスおよびその要件（遅延、信頼性、周波数ダイバーシティ、データレート等）に合わせることができる。たとえば、背景の項で説明した通り、サービスｅＭＢＢおよびＵＲＬＬＣはともに、非常に広い帯域幅を必要とする点において類似するものの、ＵＲＬＬＣサービスが超低遅延を必要とする点において異なる。これらの要件の結果として、ＵＲＬＬＣサービスのヌメロロジ方式は通常、ｅＭＢＢサービスのヌメロロジ方式よりも短いＴＴＩ（および、場合により短いシンボル長）を使用することになる。各サービスに用いられるヌメロロジ特性については、未だ合意に至っていない。
【００３９】
以下から明らかとなるように、例示として第１の実施形態の原理の説明に用いられるヌメロロジ方式間で異なる主要なヌメロロジ特性は、サブキャリア間隔およびシンボル持続時間のほか、スケジューリング時間インターバルの長さ（すなわち、リソーススケジューリングユニット当たりのシンボル数）である。図面には示していないものの、巡回プレフィックスの長さがシンボル長と同様にスケーリングされるものと仮定する一方、各ヌメロロジ方式については、各サブキャリア間隔が当該ヌメロロジ方式に従う１２個のサブキャリアをリソーススケジューリングユニットが有するように無線リソースを区切るものと仮定する。それにも関わらず、第１の実施形態およびその原理は、以下で例示的に用いられるさまざまなヌメロロジ方式だけに限定されず、さまざまなヌメロロジ方式およびその対応するさまざまなヌメロロジ特性にも適用可能であることに留意されたい。また、以下の説明では、合計３つのヌメロロジ方式しか規定していないが、第１の実施形態の基礎となる原理は、モバイル通信システムに対してさまざまな組および数のヌメロロジ方式が規定される場合にも等しく当てはまることになる。
【００４０】
上記さまざまな例示的ヌメロロジ方式については、図５に関連して説明するが、これらは図１Ａ〜図１Ｃに基づく。図５は、３つの異なるヌメロロジ方式に従った無線リソースの区切りを簡単に示している。結果としてのリソーススケジューリングユニットをヌメロロジ方式それぞれの太枠四角形で示している。
【００４１】
図５のヌメロロジ方式１は、１５ｋＨｚのサブキャリア間隔（その結果として６６．７μｓのシンボル持続時間（図１Ａ参照））と、リソーススケジューリングユニット当たり１２個のサブキャリアおよび６個のシンボルとを有することを特徴とする。結果としてのリソーススケジューリングユニットは、（たとえばＬＴＥシステムにより知られる各１６．７μｓの巡回プレフィックスを例示的に考えた場合）１８０ｋＨｚの周波数帯域幅および０．５ｍｓの長さを有する。これに対応して、周波数領域においては、周波数帯の帯域幅が２４個のリソーススケジューリングユニット（それぞれ１８０ｋＨｚの帯域幅）へと区切られることになる。これらのヌメロロジ特性により、ヌメロロジ方式１は、ｍＭＴＣサービスのデータ送信用と考え得る。このため、当該ヌメロロジ方式に従うＵＥは、ＴＴＩすなわち０．５ｍｓごとにスケジューラで理論的にスケジューリングすることも可能である。
【００４２】
ヌメロロジ方式２は、（２×１５ｋＨｚ＝）３０ｋＨｚのサブキャリア間隔（その結果として３３．３μｓのシンボル持続時間（図１Ｂ参照））と、リソーススケジューリングユニット当たり１２個のサブキャリアおよび６個のシンボルとを有することを特徴とする。このため、結果としてのリソーススケジューリングユニットは、（各１６．７μｓ／２のスケーリング巡回プレフィックスを例示的に考えた場合）３６０ｋＨｚの周波数帯域幅および０．２５ｍｓの長さを有する。これに対応して、周波数領域においては、周波数帯の帯域幅が１２個のリソーススケジューリングユニット（それぞれ３６０ｋＨｚの帯域幅）へと区切られることになる。これらのヌメロロジ特性により、ヌメロロジ方式２は、ｅＭＢＢサービスのデータ送信用と考え得る。このため、当該ヌメロロジ方式に従うＵＥは、ＴＴＩすなわち０．２５ｍｓごとにスケジューラで理論的にスケジューリングすることも可能である。
【００４３】
ヌメロロジ方式３は、（４×１５ｋＨｚ＝）６０ｋＨｚのサブキャリア間隔（その結果として１６．７μｓのシンボル持続時間（図１Ｃ参照））と、リソーススケジューリングユニット当たり１２個のサブキャリアおよび４個のシンボルとを有することを特徴とする。このため、結果としてのリソーススケジューリングユニットは、（各１６．７μｓ／４のスケーリング巡回プレフィックスを例示的に考えた場合）７２０ｋＨｚの周波数帯域幅および０．０８３３ｍｓの長さを有する。これに対応して、周波数領域においては、周波数帯の帯域幅が６個のリソーススケジューリングユニット（それぞれ７２０ｋＨｚの帯域幅）へと区切られることになる。これらのヌメロロジ特性により、ヌメロロジ方式３は、ＵＲＬＬＣサービスのデータ送信用と考え得る。このため、当該ヌメロロジ方式に従うＵＥは、ＴＴＩすなわち０．０８３３ｍｓごとにスケジューラで理論的にスケジューリングすることも可能である。
【００４４】
結果として、異なるヌメロロジ間で共有される周波数帯の時間−周波数無線リソースは、さまざまなヌメロロジ方式の基礎となるヌメロロジ特性に基づいて異なる解釈が可能である。さまざまなヌメロロジ方式がモバイルネットワークにおいて共存するものとし、これらさまざまなヌメロロジ方式の無線リソースは、必要に応じてユーザ端末に配分するのに利用可能であるものとする。
【００４５】
一方、ユーザ端末は、ヌメロロジ方式のうちの１つまたは複数に対応可能である。図４に示す例示的なシナリオにおいては、ＵＥがそれぞれ、１つの（異なる）サービスにしか対応しないものと仮定する。
【００４６】
背景の項で論じた通り、図２では１つの例しか示していないものの、周波数領域および／または時間領域において、周波数帯およびその無線リソース内の異なるヌメロロジを多重化する方法に関しては、複数の可能性がある。第１の実施形態を説明するために以下で使用する他の考え得る多重化方式を図６および図７に示す。
【００４７】
一般的には、各ヌメロロジ方式に従ってデータ送信用の無線リソースを配分できるように、周波数帯の利用可能な時間−周波数無線リソースは、システムに共存するさまざまなヌメロロジ方式間で適当に分割されるものとする。これに対応して、各ヌメロロジ方式は、当該ヌメロロジ方式に従った配分すなわち特定のヌメロロジ方式のヌメロロジ特性に従う対応サービス（ＵＲＬＬＣ、ｍＭＴＣ、ｅＭＢＢ）のデータ送信用の無線リソースの配分のため、後でスケジューラ（無線基地局等）が使用可能な周波数帯の利用可能な無線リソースのうち、特定組の無線リソースに関連付けられている。
【００４８】
各サービスのトラヒック量が時間とともに変動する点を考えると、これらサービスに対して共存するさまざまなヌメロロジ方式の多重化についても、柔軟であるものとする。利用可能な無線リソースは、ヌメロロジおよび対応するサービス間でのリソース共有が可能となるように、サービスひいては対応するヌメロロジ方式間で効率的に共有される必要がある。これに対応して、リソース配分の改善により、ヌメロロジ方式の多重化の種類および量を動的に設定可能とする必要がある。さらに、複数のＵＥへのリソース配分のシグナリングは、可能な限り簡単かつコンパクトであるものとする。以下、第１の実施形態の複数の実施態様を示して、このように改良されたリソース配分手順を提供する。
【００４９】
図６および図７は、４．３２ＭＨｚの帯域幅および図５に関連して導入したスケジューリング時間インターバルを有する周波数帯の例示的なヌメロロジ多重化方式を示している。さらに、さまざまなヌメロロジ方式について、無線リソースの境界でガード周波数／期間が必要となる場合がある。ただし、図面（図６等）および以下の説明においては、このようなガード周波数帯およびガードインターバルの使用を考慮に入れない。それにも関わらず、第１の実施形態の原理は、ガード周波数帯およびガードインターバルを伴うシナリオにも等しく当てはまる。図６および図７の下部は、どの無線リソースがどのヌメロロジ方式に関連付けられているかを示し、ひいては各トラヒックタイプ／ファミリのスケジューリング機会を示している。１つのヌメロロジ方式に関連付けられた無線リソースは、例示的に参照リソースセットと称し得る（その他、公称リソースセットという用語も考えられる）。
【００５０】
ｍＭＴＣのヌメロロジ方式１およびｅＭＢＢのヌメロロジ方式２は、周波数領域においてのみ多重化され、時間領域においては多重化されない。ただし、ヌメロロジ方式１および２は、周波数帯の全帯域幅を網羅するＵＲＬＬＣのヌメロロジ方式３と時間多重化される。図６のヌメロロジ方式の公称リソースセットにおいては、周波数および時間の両領域において連続する無線リソースと各ヌメロロジ方式が関連付けられるものと仮定する。ただし、これは一例に過ぎず、ヌメロロジ方式（すなわち、各公称リソースセット）は、周波数および／または時間領域において連続していない無線リソースとも関連付けられていてもよい。これに対応して、図７に係る例示的な実施態様においては、ヌメロロジ方式１が周波数帯の上下端で非連続無線リソースと関連付けられている。さらに、ヌメロロジ方式３は、非連続期間と、本例では図示の期間の最初と最後に関連付けられている（システムのヌメロロジ方式のうちで最も長いＴＴＩに対応する）。一般的に、利用可能な無線リソースは、スケジューラが無線リソースをヌメロロジ方式それぞれに配分することにより、複数のサービスに同時に対応できるように、共存するヌメロロジ方式に関連付けられるものとする。図６および図７に規定の公称リソースセットは常に結び付いて、図６および図７の上部に示す同じ非重畳多重化方式を構成する。言い換えると、ヌメロロジ方式の多重化は、経時的に変化しない。
【００５１】
３つのヌメロロジ方式に関して図６および図７に仮定する公称リソースセットによれば、１つのヌメロロジ方式に関連付けられた無線リソースは、当該ヌメロロジ方式に対してのみ排他的に利用可能である。言い換えると、さまざまなヌメロロジ方式、特に、当該ヌメロロジ方式に従って配分されるように使用可能なヌメロロジ方式の関連する無線リソース（すなわち、公称リソースセット）は、重ならない。その結果、さまざまなヌメロロジ方式間では、無線リソースの共有が不可能であるため、スケジューラは、１つのヌメロロジ方式に対して「予約」された無線リソースを再利用することにより、別のヌメロロジ方式に従って別のＵＥ（および／または、サービス）に配分する柔軟性を持たない。たとえば、ＵＲＬＬＣサービス（すなわち、ヌメロロジ方式３）を使用可能とするために配分の必要があるリソースがない（または、ほとんどない）時間において、ヌメロロジ方式３の公称リソースセットの無線リソースは、別のサービスを使用可能とする別のヌメロロジ方式に従っては配分できないため、基本的には浪費される。
【００５２】
第１の実施形態の別の実施態様によれば、さまざまなヌメロロジ方式の公称リソースセットは、少なくとも１つのヌメロロジ方式の公称リソースセットが少なくとも１つの他のヌメロロジ方式の公称リソースセットと少なくとも部分的に重なるように規定される。この概念の例示的な一実施態様を図８に関連して説明する。この図から明らかなように、各公称リソースセットが別のヌメロロジ方式の公称リソースセットとも関連付けられた無線リソースを含むように、さまざまな公称リソースセットが規定される。言い換えると、さまざまなヌメロロジ方式の公称リソースセットは、重なることで互いに無線リソースを共有する。無線リソースの重畳は、周波数領域および／または時間領域において可能である。図８は、その左上部に共有無線リソースを示しており、無線リソースの対応する共有エリアを網掛している。
【００５３】
公称リソースセットに重畳エリアを設けることにより、必要に応じてさまざまなヌメロロジ方式ひいてはさまざまなサービスに応じて、共有無線リソースをリソース配分中に柔軟に配分可能であることから、スケジュールにより実行されるリソース配分手順を大幅に改善可能である。図８は、その底部に規定される重畳公称無線リソースセットに基づいて、０．５ｍｓの期間内に利用可能な無線リソースをさまざまなヌメロロジ方式間で多重化可能な様態に関する複数の異なる可能性のうちの２つしか示していない。この図から明らかなように、最初の０．５ｍｓ期間において、スケジューラにより実行された実際のリソース配分の結果としての多重化は、図６に規定の非重畳公称リソースセットの結果としての多重化と同じになり得る。ただし、説明の目的上、次の０．５ｍｓでは、はるかに多くのＵＲＬＬＣトラヒックを送信する必要があるものと仮定する。このため、スケジューラは、公称リソースセットが与える範囲内で多重化方式を変更する柔軟性を有し、また、ヌメロロジ方式３の公称リソースセットにおいて、最初のＴＴＩのＵＲＬＬＣトラヒックをスケジューリングすることになる。結果として、スケジューラは、過去の０．５ｍｓ期間よりも利用できる無線リソースが少ない残りのヌメロロジ方式１および２を犠牲にして、（ＵＲＬＬＣサービスを使用可能にする）ヌメロロジ方式３に関連付けられたすべての考え得る無線リソースを利用することになる。同様に、スケジューラは、（ｍＭＴＣトラヒックのデータ送信用の）ヌメロロジ方式１の無線リソースをより多く使用することにより、対応する共有無線リソースをヌメロロジ方式２ではなくヌメロロジ方式１に配分するように決定してもよい。このため、図８から明らかなように、ヌメロロジの結果としての多重化方式は大幅に変化する。
【００５４】
一般的に、スケジューラは、公称リソースセットに従うとともに各ヌメロロジ方式のＴＴＩに基づいて、無線リソース配分手順をそれぞれ無線リソース内で対応的に実行することにより、さまざまなヌメロロジがさまざまな時間に多重化される様態を動的に設定することができる。１つのヌメロロジ方式または別のヌメロロジ方式への共有無線リソースの使用は、各スケジューリング時間インターバルに応じて変化し得る。
【００５５】
図８に示す２つの考え得る多重化方式は一例に過ぎず、各ヌメロロジ方式の公称リソースセットが与える限界内において、無線リソースがスケジューラにより配分されるようになっていてもよい。ただし、さまざまなヌメロロジ方式間での無線リソースの共有は、考え得る各ＴＴＩで変化する必要がない。これは、たとえばトラヒック状況が変化するか否かに応じて決まる。スケジューラは、たとえば各ＴＴＩでヌメロロジ方式が実際に多重化される様態を変更可能であるものの、以前と同じリソース分割の相対量を基本的に維持するように決定することも可能である。リソース配分手順において、スケジューラは、可能であれば、さまざまなヌメロロジ方式に従って同じ無線リソースを配分するのをやめて、当該無線リソースを使用するさまざまな送信間の干渉を回避するものとする。それにも関わらず、これは厳密に必要なことでもなく、異なるヌメロロジ（たとえば、異なるＵＥ）に従って同じ無線リソースを配分できる／すべきか否かというスケジューラの実装次第である。干渉相殺能力を備えた高度なＵＥの場合、スケジューラは、重畳送信によって、リソース利用を改善する場合もある。
【００５６】
さまざまなヌメロロジ方式の公称リソースセットの重畳エリアが大きくなるほど、スケジューラは、これらさまざまなヌメロロジ方式および現在必要なそのＴＴＩに基づいて、無線リソースをより柔軟に、さまざまなサービスに配分可能となる。図９は、すべてのヌメロロジ方式の公称リソースセットがすべての利用可能な無線リソースを含むため、すべてが互いに完全に重なる極端なケースを示している。図９の上部に示すように、すべてのリソースが３つのヌメロロジ方式により共有されており、スケジューラは、システムにおいて異なるヌメロロジを多重化する方法に関して完全に柔軟である。その結果、図６〜図８に示したような方式の多重化が可能であり、さらに多くの多重化も可能である。
【００５７】
ただし、たとえばＦＦＴ／ＩＦＦＴサイズがＵＥの処理能力によって制限されることから、複雑度の低いＵＥについては、図９の３つの公称リソースセットに仮定するように、周波数帯の全帯域幅を処理できない可能性もあることに留意されたい。これに対応して、特に複雑度の低いＵＥに適したヌメロロジ方式の場合、システム帯域幅全体に公称リソースセットを拡張するのが合理的であるかについては、疑問の余地がある。さらに、以下に説明する通り、（図８に規定したような）より小さな公称リソースセットを使用することには、配分された無線リソースを示すのに送信する必要がある情報を減らせる利点がある。その結果、公称リソースセットを規定する場合は、大きな重畳リソースエリアによって無線リソース配分の柔軟性を増大させることと、わずかな公称リソースセットによってリソース配分の指定を簡素化可能にすることとの間にトレードオフが存在する。
【００５８】
さらに、たとえば周波数領域において公称リソースセットを制限することにより、ＦＦＴ／ＩＦＦＴの複雑度を低減可能であるとともに、ＦＦＴ／ＩＦＦＴウィンドウ位置のホッピングも可能となり得る。たとえば、図７に示すように、ｍＭＴＣ  ＵＥは、周波数帯の上下部から成る公称リソースセットで設定可能である。そして、これら２つの部分の一方に従って、データを受信するＵＥのＦＦＴウィンドウサイズを設定可能であるものの、予め設定されてＵＥおよびスケジューラの両者が了解するパターンに従って、これら２つの部分間でＦＦＴウィンドウの位置がホッピングする。このようにして、周波数ダイバーシティを実現可能である。周波数領域における公称リソースセットの制限は、特定サービスの周波数帯域幅要件によっても決まるため、公称リソースセットをシステム周波数帯域幅の一部に制限することは、ｍＭＴＣのように小さなサブキャリア間隔および／または狭い帯域幅の要件を伴うヌメロロジレイヤに適している。
【００５９】
特に小さな公称リソースセットを使用する場合に、システム全体の柔軟性をさらに増大させるため、第１の実施形態の他の実施態様によれば、１つまたは複数のヌメロロジ方式の公称リソースセットを規則的に再規定できるようになる。現在規定されている公称リソースセットは、さまざまなサービスのトラヒック状況の変更に対してスケジューラがどの程度反応し得るかについての制限を設けている。さまざまなヌメロロジ方式の公称リソースセットを規則的に再規定可能とすることによって、場合によりヌメロロジ方式のＴＴＩが与えるよりも遅いタイムスケール上ではあるものの、上記のような制限なく、さまざまなサービスのトラヒック状況の変更に対して反応することができる。公称セット設定およびＴＴＩレベルリソース配分の両者の使用の組み合わせにより、２つのタイムスケールでトラヒック変動に適応するメカニズムがもたらされる。公称リソースセットを再設定することにより遅いトラヒック変動を考慮に入れられる一方、ＴＴＩ当たりのリソース配分を変更することにより速いトラヒック変動に対応可能である。トラヒックが時間とともにゆっくりとしか変化しない状況においては、複数のＴＴＩに同じリソーススケジューリング情報を使用することができ（たとえば、セミパーシステントスケジューリング）、スケジューリングシグナリングオーバヘッドが抑えられる。
【００６０】
上述の通り、上記仮定の例示的なシナリオによれば、ＵＥは、さまざまなヌメロロジ方式のうちの少なくとも１つに対応するため、その対応する１つまたは複数のヌメロロジ方式の公称リソースセットの規定が把握されて、公称リソースセットの無線リソースを通じたデータの送受信および情報の制御が可能になるものとする。ＵＥが対応するヌメロロジ方式の公称リソースセットに関する必要な情報は、たとえばその無線セルの無線基地局がブロードキャストするマスター情報ブロック（ＭＩＢ）の一部またはシステム情報ブロック（ＳＩＢ）の一部としてＵＥに提供可能である。この必要な情報は、当該公称リソースセットに属する対応する時間−周波数無線リソースを特定可能であり、たとえば、ＭＩＢ／ＳＩＢの位置に対する周波数区域および周波数帯域幅と、周波数領域においては、特定の持続時間内の（たとえば、特定数のＴＴＩに及ぶ）利用可能なシンボル／ＴＴＩとがある。時間−周波数無線リソースは、対応するヌメロロジ方式の特性に基づいて、たとえばヌメロロジ方式により規定されたリソーススケジューリングユニットを特定することにより指定することができる。
【００６１】
ＵＥは、１つまたは複数のヌメロロジ方式に対応するため、対応するヌメロロジ方式に従って、対応する公称リソースセットが指定する無線リソース内で受信および送信を実行する。
【００６２】
スケジューラによるリソース配分決定がＵＥに通知されるように、ＬＴＥにより既知の類似手法を用いることも可能である。特に、制御情報領域（ダウンリンク制御情報（ＤＣＩ）サーチスペースとも称し得る）を規定可能であり、これら無線リソースの一部をスケジューラ（たとえば、無線基地局）が使用して、リソース配分情報等の制御情報をＵＥに送信することができる。これに対応して、各ＵＥは、実際に各制御情報領域宛ての制御情報が存在するかどうかを知るために、その領域をモニタリングする。
【００６３】
一般的に、特定の制御情報領域を規定するには、２つの可能性がある。一選択肢によれば、制御情報は、制御情報が送信されるデータと同じヌメロロジ方式で送信される。この選択肢は、１つのヌメロロジ方式にしか対応していないＵＥに特に適している。さらに、複数のサービスおよび各ヌメロロジ方式に対応するＵＥの場合は、ヌメロロジ方式およびトラヒックタイプごとに個々のＤＣＩ送信を有することによって、遅延要件を容易に満たすことができる。ただし、さまざまな制御情報領域を規定すると、ＵＥ側でのブラインドデコード化試行が増える。
【００６４】
一方、ブラインドデコード化試行を減らすため、別の選択肢として、共通制御情報領域を規定することができ、ヌメロロジ方式のうちの１つまたは複数について、制御情報が送信されるデータとは別のヌメロロジ方式に従って対応する制御情報が送信されるようになっていてもよい。
【００６５】
たとえば図１０および図１１に示すように制御情報領域（ＤＣＩサーチスペース）を規定可能であるが、ＤＣＩサーチスペースは、公称リソースセットの対応する無線リソース内でヌメロロジ方式ごとに規定されるため、ヌメロロジ方式のＴＴＩに応じたＵＥのスケジューリングに遅れずに制御情報をＵＥに送信することができる。その結果、制御情報は、データも送信される関連するヌメロロジ方式に従って、常にＵＥに送信される。ＤＣＩサーチスペースは、すべての無線リソースが実際にスケジューリング可能すなわちＴＴＩごとにスケジューリング可能となるように、各公称リソースセット内で規定されるものとする。したがって、ヌメロロジ方式２および３の公称リソースセットの場合は、ＴＴＩ当たり１つずつ、それぞれ２つのＤＣＩモニタリング区域が規定される。
【００６６】
第１の実施形態の他の実施態様によれば、さまざまなヌメロロジ方式のＤＣＩサーチスペースについても同様に重なり得る。これを図１２に示すが、これは、図８に関連して規定および説明した重畳公称リソースセットに基づく。この図から明らかなように、ヌメロロジ方式１のＤＣＩサーチスペースおよびヌメロロジ方式２の最初のＴＴＩのＤＣＩサーチスペースは、一部の無線リソースを共有する。これに対応して、スケジューラは、これらＤＣＩサーチスペースの共有無線リソースを必要に応じて用いることにより、ヌメロロジ方式１またはヌメロロジ方式２の制御情報を送信することができる。それにも関わらず、共有無線リソースを有するＤＣＩサーチスペースは、両ヌメロロジ方式のデータ送信の同時スケジューリングが可能となるように規定されるものとする。たとえば、ヌメロロジ方式２の最初のＴＴＩにおけるＤＣＩメッセージの実際の送信では、ヌメロロジ２  ＤＣＩサーチスペースの予約周波数の一部のみを使用する。
【００６７】
さらに、同じく図１２から明らかなように、ヌメロロジ方式２のＤＣＩサーチスペースの無線リソース（ヌメロロジ方式２の最初のＴＴＩまたは２番目のＴＴＩ参照）は、ヌメロロジ方式１に従ったデータ送信に利用可能な無線リソースに対応し、その逆も同様である。同じことが、ヌメロロジ方式３のＤＣＩサーチスペースの無線リソース（ヌメロロジ方式３の５番目のＴＴＩ参照）にも当てはまり、これは、ヌメロロジ方式１または２におけるデータ送信に利用可能な無線リソースに対応する。これに対応して、このような共有無線リソースの実際の使用は、スケジューラ次第であり、制御情報の送信に無線リソースが必要か否かによって決まる。スケジューラは、１つのヌメロロジ方式のＤＣＩサーチスペースと関連付けられた無線リソースを用いることにより、別のヌメロロジ方式に従ってデータ送信を配分することができる。データ送信用にスケジューラにより配分された無線リソースでＵＥが制御情報をデコード化しようとしても単に失敗するだけであるため、ＵＥに通知する必要はない。
【００６８】
あるいは、図１３および図１４に関連して例示的に説明する通り、ヌメロロジ共通制御情報領域の規定によって、ブラインドデコード化試行を抑えることができる。図１３においては、ヌメロロジ方式２に対して規定された公称リソースセットにおいてＤＣＩサーチスペースが規定されるものの、これは、制御情報を移送することにより、ヌメロロジ方式１および３に従って同様に無線リソースを配分するのにも使用可能である（図１３の対応する矢印参照）。図１４に規定の公称無線リソースセットの場合は、ヌメロロジ方式３の公称リソースセット内でヌメロロジ共通制御情報領域を規定可能であるが、無線基地局が（ヌメロロジ方式３の最初のＴＴＩの）最初のＤＣＩサーチスペースを使用して必要なリソース配分情報を送信することにより、ヌメロロジ方式１および２に従って無線リソースを配分することができる（この場合も、対応する矢印がこのヌメロロジ方式間リソース配分を示す）。このような場合、複数のヌメロロジに対応するＵＥは、任意のヌメロロジ方式の考え得るＤＣＩメッセージに対して、１つのサーチスペースをモニタリングすることができる。
【００６９】
さまざまなＵＥは、ＤＣＩサーチスペースの無線リソースに関する通知を受ける必要があり、対応するヌメロロジ方式のうちのいずれかに従って制御情報をモニタリングするものとする。さまざまなヌメロロジ方式のＤＣＩサーチスペースは、たとえば対応するシステム情報ブロックにおいて、システム情報としてブロードキャストすることができる。あるいは、個別ＲＲＣメッセージの使用により、当該情報を無線基地局からＵＥに移送することができる。ＤＣＩサーチスペースの規定後、ＵＥは、対応するヌメロロジ方式に従って対応する無線リソースをモニタリングするとともに、ＤＣＩサーチスペースのこれらリソースにおいてブラインドデコード化を実行するものとする。
【００７０】
第１の実施形態の他の実施態様によれば、ブラインドデコード化は、制御情報のデコード化のみを想定したものではなく、データのデコード化にも適用され得る。特に、ＵＥがデータをブラインド検出することにより、ＤＣＩなしのデータ送信も可能である。ＵＲＬＬＣまたはｍＭＴＣのアップリンクＲＡＣＨレス送信のような（アップリンク同期を得ずに小さなアップリンクパケットを送信する）一部の微小データバーストは、対応するリソース配分なく直接送信されるようになっていてもよい（さらに、ＨＡＲＱに対応していない可能性もある）。その結果、ＵＲＬＬＣデータの対応するヌメロロジ方式に対して規定されたリソースセットがデータのブラインドデコード化のサーチスペースと考えられる。ブラインドデコード化を容易にするため、このようなＵＲＬＬＣデータ送信には、特定のコード化レートおよび／または変調方式のみが用いられるものと想定可能である。スケジューリングプロセスが不要であり、リソース配分情報が送信されないことから、送信遅延がさらに抑えられ、シグナリングオーバヘッドも同様に抑えられ得る。
【００７１】
対応するＤＣＩサーチスペースの無線リソースを用いてスケジューラにより送信されるリソース配分情報は、ヌメロロジ方式の特性に従って提供される。さらに、無線リソースについても、公称リソースセットを参照して指定可能である。その結果、さまざまなヌメロロジ方式（および、さまざまな公称リソースセット）に従って配分された無線リソースの指定が互いに切り離される。さらに、小さな公称リソースセットを提供することにより、リソース指定のための識別が必要な無線リソースがほとんどなくなるため、配分無線リソースの指定が簡素化される。
【００７２】
ヌメロロジ方式に関する上記説明では、アップリンクまたはダウンリンクのいずれに関連するかを区別しなかった。第１の実施形態の実施態様によれば、同じヌメロロジ方式をアップリンクおよびダウンリンク方向に使用可能であるため、これに対応して、アップリンクおよびダウンリンクデータの送受信に使用可能である。これに対応して、上記点での無線リソース配分手順についても、アップリンクまたはダウンリンクのいずれの送信がスケジューリングされるかに関わらず同じままである。一方で、ヌメロロジ方式もリソース配分も、アップリンクおよびダウンリンクに関して同じままである必要はない。むしろ、同じサービスのアップリンクまたはダウンリンクに対して、異なるヌメロロジ方式を適用可能である。たとえば、ｍＭＴＣサービスは、アップリンクにおけるサービスエリアの拡張（ダウンリンクの場合は実現できない可能性がある）を要することが知られており、たとえば小さなサブキャリア間隔（たとえば、３．７５ｋＨｚ）ひいては長いシンボル持続時間を有する異なるヌメロロジ方式を使用して、このサービスエリア要件を満たすことができる。
【００７３】
第１の実施形態の他の実施態様によれば、スケジューラは、別のヌメロロジ方式のスケジューリング配分を実行した後でも、あるヌメロロジ方式の高優先トラヒック（たとえば、極低遅延すなわち短ＴＴＩを有する）に対応することができる。これに関連して、図１５は、ヌメロロジ方式１および２に従って配分済みの無線リソース内で如何にしてヌメロロジ方式３のトラヒックに対応可能であるかを示している。この改良は、ＵＲＬＬＣトラヒック等、非常に短い遅延が求められるトラヒックに特に有用である。
【００７４】
特に、図１５の下部に示す各ヌメロロジ方式の公称リソースセットの規定を含め、図６に関連して説明したのと同様のシナリオを仮定する。図１５から明らかなように、ＵＲＬＬＣトラヒックの公称リソースセットは、このように十分な柔軟性を与えるため、スケジューラは、各ＴＴＩでのＵＲＬＬＣトラヒックの無線リソースをスケジューリング可能である。リソース配分中に得られる対応する多重化結果を図１５の左上部に示すが、これは、図６の結果に対応する。特に、リソース配分手順は、最初の０．５ｍｓ期間について示すように、ヌメロロジ方式１および２それぞれの最初のＴＴＩにリソースを配分する。ただし、図１５の中上部（すなわち、２番目の０．５ｍｓ期間）では、ヌメロロジ方式３の２番目のＴＴＩにおいてすでに、緊急のＵＲＬＬＣトラヒックの配分が必要であるものと仮定する。ただし、この点において、スケジューラはすでに、ヌメロロジ方式１および２に従って無線リソースを配分済みであり、ヌメロロジ方式１および２に従って、対応する無線リソースがデータ送信に用いられるようにスケジューリングされる。ＵＲＬＬＣトラヒックは通常、必要な極低遅延を実現できるように、最も高い優先度で使用可能とされるものとする。その結果、他のサービス（たとえば、ｅＭＢＢおよびｍＭＴＣ）に対してすでに配分された長いスケジューリングインターバル（ＴＴＩ）の途中でも（すなわち、他のサービスに対する無線リソース配分がすでに発生した後でも）、ＵＲＬＬＣ送信をスケジューリング可能であるものとする。したがって、ＵＲＬＬＣのＴＴＩがより短いヌメロロジ方式３に対して、別のヌメロロジ方式に従ってすでに配分済みの無線リソースを再配分することにより、低遅延要件を満たし得るものとする。
【００７５】
上記の実現方法には、さまざまな可能性がある。一選択肢としては、ＵＲＬＬＣトラヒックに対してヌメロロジ方式３に突然配分されている無線リソースにおいて、その他のヌメロロジ方式の無線リソースをパンクチャすることになる。これに対応して、図１５から明らかなように、緊急のＵＲＬＬＣデータは、各ヌメロロジ方式１および２の対応する無線リソースのｅＭＢＢおよびｍＭＴＣデータを上書きする。したがって、パンクチャされた無線リソースでは、ｅＭＢＢおよびｍＭＴＣサービスのデータを送信するのではなく、ＵＲＬＬＣトラヒックデータが送信される。パンクチャのため、ｅＭＢＢおよびｍＭＴＣトラヒックの送信の性能は低下する。任意選択として、この手順は、（他方のＵＲＬＬＣトラヒックに属する）上書きビットをＵＥが対応的に無視することから、パンクチャデータのデコード化が改善されるように、（たとえば、対応する情報をブロードキャストするスケジューラにより）影響を受けるＵＥにパンクチャ動作を通知することによって改良されるようになっていてもよい。
【００７６】
別の改良によれば、レートマッチングの使用により、ＵＲＬＬＣトラヒックの無線リソースの配分に対応するようにしてもよい。特に、図１５に示すように、この場合もヌメロロジ方式１および２の無線リソースがパンクチャされる。ただし、これに加えて、レートマッチングはその他の送信に対してもヌメロロジ方式１および２に従って実行されるため、（より高いコード化レートを使ってではあるものの）ヌメロロジ方式１および２に利用可能なその他のリソースにおける上書きデータの送信が実現される。さらに、影響を受けるＵＥは、このデータの上書きが発生するリソースに関する通知を（たとえば、スケジューラからのブロードキャストにより）受けるものとし、また、正しいリソース上で変化したコード化レートを使ってレートマッチングデータを適正にデコード化できるように、送信側で実行されたレートマッチングプロセスを認識するものとする。
【００７７】
別の解決手段によれば、他のヌメロロジ方式の過去に配分された無線リソースにおけるデータ上書きの代わりに、ごく初期から適当な量の無線リソースを予約した後、上記のような状況で必要に応じて使用することも可能である。具体的に、予測可能なＵＲＬＬＣトラヒックの場合、ヌメロロジ方式１および２に対して実行される無線リソース配分では、たとえばヌメロロジ方式３の公称リソースセットの２番目のＴＴＩにおける潜在的なＵＲＬＬＣトラヒック送信を考慮することができるため、ｅＭＢＢおよびｍＭＴＣデータの送信にこれらの無線リソースを配分することはない。これに対応して、ｍＭＴＣおよびｅＭＢＢトラヒックに関して送信されたリソース配分情報は、ＵＲＬＬＣトラヒックの考え得る送信に対して予約され、ヌメロロジ方式１および２に従ったデータ送信には用いられない無線リソースを示すものとする。たとえば、ビットマッピング指定を提供可能であり、各ビットは、他方のヌメロロジ方式１および２の無線リソースセット内のシンボルのうちの１つに関連付け可能である。したがって、ヌメロロジ方式１の公称リソースセットのシンボルごとに５ビットから成るヌメロロジ方式１のビットマップは０１０００を示すことになるため、ＵＲＬＬＣトラヒックの潜在的な送信に対して、ヌメロロジ方式１の２番目のシンボルが予約される。これに対応して、ヌメロロジ方式２の公称リソースセットのシンボルごとに１０ビットから成るヌメロロジ方式２のビットマップは００１１００００００を示すことになるため、ＵＲＬＬＣトラヒックの潜在的な送信に対して、当該ヌメロロジ方式の３番目および４番目のシンボルが予約される。ビットマップを使用する代わりに、無線リソースの予約は、開始シンボルおよび連続予約の長さを指定するだけでも実行可能である。これは、ビットマップを使用する場合よりも柔軟性に欠けるが、リソース配分情報において、予約指定にビットがほとんど使われない可能性もある。
【００７８】
周期的なＵＲＬＬＣトラヒックを取り扱うため、ヌメロロジ方式３に従って、１つおきのＴＴＩのみがＵＲＬＬＣトラヒックに利用可能となるように、公称リソースセットをこれに応じて再規定することも可能である。これを図１６に関連して説明する。これに対応して、ＵＲＬＬＣトラヒックの公称リソースセットの間隔を空けることにより、ヌメロロジ方式３に従ったスケジューリングに利用できないＴＴＩにおいてＵＲＬＬＣトラヒックを理論的に送信可能であっても、次のＴＴＩまで待つ必要があることから、短い遅延しか導かれない。一方、ヌメロロジ方式１および２からリソースを予約するＤＣＩのシグナリングオーバヘッドは、縮小サイズのＵＲＬＬＣ公称セットを予約に考慮すればよいことから抑えられる。たとえば、図１５において前述の通り、ヌメロロジ１  ＴＴＩの最初に、リソースを予約するビットマッピングには、５ビットではなく２ビットしか必要ない。
【００７９】
（その他の実施形態）
第１の態様によれば、モバイル通信システムにおいてスケジューラにより時間−周波数無線リソースを配分する方法が提供される。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。この方法は、スケジューラにより、複数のヌメロロジ方式に従って、時間−周波数無線リソースを１つまたは複数のユーザ端末に配分するリソース配分手順を実行するステップを含む。リソース配分手順は、各ヌメロロジ方式に対して規定されたスケジューリング時間インターバルに基づいてヌメロロジ方式ごとに実行される。
【００８０】
第１の態様に加えて提供される第２の態様によれば、リソース配分手順は、時間領域または周波数領域において互いに重なることなく各参照リソースセットに基づいて、時間領域および／または周波数領域において複数の時間−周波数無線リソース全体で複数のヌメロロジ方式が多重化されるように実行される。任意選択として、ヌメロロジ方式の参照リソースセットは、各ヌメロロジ方式に従って、リソース配分手順において配分可能な無線リソースに対する制限を設定する。
【００８１】
第１または第２の態様に加えて提供される第３の態様によれば、ヌメロロジ方式の参照リソースセットは、複数の時間−周波数無線リソースの一部または複数の時間−周波数無線リソースの全部と関連付けられている。任意選択として、複数の時間−周波数無線リソースの一部は、連続または非連続周波数および／または期間で構成されている。任意選択として、１つの参照リソースセットの別の参照リソースセットとの重なりは、部分的または全体的である。
【００８２】
第１〜第３の態様のうちの１つに加えて、第４の態様によれば、ヌメロロジ方式に従った複数の時間−周波数無線リソースの区切りは、２つの連続するサブキャリア間の周波数距離を規定するサブキャリア間隔およびシンボル持続時間、リソーススケジューリングユニット当たりのサブキャリア数、ならびにリソーススケジューリングユニット当たりのシンボル数、というヌメロロジ特性のうちの少なくとも１つにおいて、別のヌメロロジ方式に従った複数の時間−周波数無線リソースの区切りと異なる。
【００８３】
任意選択として、ヌメロロジ方式のヌメロロジ特性は、特定のユーザサービスの要件が満たされるように決まる。
【００８４】
第１〜第４の態様のうちの１つに加えて、第５の態様によれば、各ヌメロロジ方式の参照リソースセットに関する情報がスケジューラによりブロードキャストされる。任意選択として、各ヌメロロジ方式の参照リソースセットは、準静的に設定される。
【００８５】
第１〜第５の態様のうちの１つに加えて、第６の態様によれば、複数のヌメロロジ方式は、アップリンク送信方式および／またはダウンリンク送信方式に当てはまる。
【００８６】
第１〜第６の態様のうちの１つに加えて、第７の態様によれば、各ヌメロロジ方式に関して、少なくとも１つの制御情報領域が各ヌメロロジ方式の参照リソースセット内に規定される。制御情報領域の時間−周波数無線リソースをスケジューラが使用することにより、リソース配分情報をユーザ端末に送信して、各ヌメロロジ方式に従ってデータ送信用の無線リソースを配分することが可能である。任意選択として、少なくとも１つのヌメロロジ方式の制御情報領域は、少なくとも１つの他のヌメロロジ方式の制御情報領域と重なっている。任意選択として、１つのヌメロロジ方式の制御情報領域の時間−周波数無線リソースは、別のヌメロロジ方式に従って、データ送信用に配分されるように使用可能である。任意選択として、ユーザ端末は、当該ユーザ端末が対応する１つまたは複数のヌメロロジ方式それぞれの制御情報領域をモニタリングすることにより、当該ユーザ端末宛てのリソース配分情報を受信する。任意選択として、複数のヌメロロジ方式の制御情報領域に関する情報がスケジューラによってユーザ端末に送信される。
【００８７】
第１〜第６の態様のうちの１つに加えて、第８の態様によれば、共通制御情報領域が複数のヌメロロジ方式のうちの１つの参照リソースセット内に規定される。共通制御情報領域の時間−周波数無線リソースをスケジューラが使用することにより、リソース配分情報をユーザ端末に送信して、少なくとも別のヌメロロジ方式に従ってデータ送信用の無線リソースを配分することが可能である。
【００８８】
第１〜第８の態様のうちの１つに加えて、第９の態様によれば、第１のヌメロロジ方式に関してリソース配分手順を実行した後、第１のヌメロロジ方式に従って配分された時間−周波数無線リソースは、第１のヌメロロジ方式に従って配分された時間−周波数無線リソースの上書きであり、任意選択として、当該上書きされた時間−周波数無線リソースに関する情報がスケジューラによりブロードキャストされる、上書き、または第１のヌメロロジ方式に従って配分された時間−周波数無線リソースの上書きおよび第１のヌメロロジ方式に従って配分された後続の時間−周波数無線リソースのレートマッチングの追加の実行であり、任意選択として、当該上書きされた時間−周波数無線リソースに関する情報がスケジューラによりブロードキャストされる、上書きおよびレートマッチングの追加の実行、によって、第１のヌメロロジ方式よりもスケジューリング時間インターバルが短い第２のヌメロロジ方式に従って再配分される。
【００８９】
第１〜第９の態様のうちの１つに加えて、第１０の態様によれば、第１のヌメロロジ方式に従って配分された時間−周波数無線リソースのリソース配分情報は、配分された時間−周波数無線リソース内で予約され、第１のヌメロロジ方式よりもスケジューリング時間インターバルが短い第２のヌメロロジ方式に従って配分される予約時間−周波数無線リソースを示す。
【００９０】
第１１の態様によれば、モバイル通信システムにおいて時間−周波数無線リソースを配分するスケジューラからユーザ端末がリソース配分情報を受信する方法が提供される。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。スケジューラがリソース配分手順を実行することにより、複数のヌメロロジ方式に従って、時間−周波数無線リソースを１つまたは複数のユーザ端末に配分する。リソース配分手順は、各ヌメロロジ方式に対して規定されたスケジューリング時間インターバルに基づいてヌメロロジ方式ごとにスケジューラにより実行される。この方法は、ユーザ端末により実行される、スケジューラによってユーザ端末に配分された無線リソースに関するリソース配分情報を受信するステップを含む。
【００９１】
第１１の態様に加えて、第１２の態様によれば、リソース配分手順は、時間領域または周波数領域において互いに重なることなく各参照リソースセットに基づいて、時間領域および／または周波数領域において複数の時間−周波数無線リソース全体で複数のヌメロロジ方式が多重化されるようにスケジューラにより実行される。任意選択として、ヌメロロジ方式の参照リソースセットは、各ヌメロロジ方式に従って、リソース配分手順において配分可能な無線リソースに対する制限を設定する。
【００９２】
第１１または第１２の態様に加えて提供される第１３の態様によれば、ヌメロロジ方式の参照リソースセットは、複数の時間−周波数無線リソースの一部または複数の時間−周波数無線リソースの全部と関連付けられている。任意選択として、複数の時間−周波数無線リソースの一部は、連続または非連続周波数および／または期間で構成されている。任意選択として、１つの参照リソースセットの別の参照リソースセットとの重なりは、部分的または全体的である。
【００９３】
第１１〜第１３の態様のうちの１つに加えて提供される第１４の態様によれば、ヌメロロジ方式に従った複数の時間−周波数無線リソースの区切りは、２つの連続するサブキャリア間の周波数距離を規定するサブキャリア間隔およびシンボル持続時間、リソーススケジューリングユニット当たりのサブキャリア数、ならびにリソーススケジューリングユニット当たりのシンボル数、というヌメロロジ特性のうちの少なくとも１つにおいて、別のヌメロロジ方式に従った複数の時間−周波数無線リソースの区切りと異なる。
【００９４】
任意選択として、ヌメロロジ方式のヌメロロジ特性は、特定のユーザサービスの要件が満たされるように決まる。
【００９５】
第１１〜第１４の態様のうちの１つに加えて提供される第１５の態様によれば、各ヌメロロジ方式の参照リソースセットに関する情報は、スケジューラによるブロードキャストを通じて受信される。任意選択として、各ヌメロロジ方式の参照リソースセットは、準静的に設定される。
【００９６】
第１１〜第１５の態様のうちの１つに加えて提供される第１６の態様によれば、各ヌメロロジ方式に関して、少なくとも１つの制御情報領域が各ヌメロロジ方式の参照リソースセット内に規定される。制御情報領域の時間−周波数無線リソースをスケジューラが使用することにより、リソース配分情報をユーザ端末に送信して、各ヌメロロジ方式に従ってデータ送信用の無線リソースを配分することが可能である。任意選択として、少なくとも１つのヌメロロジ方式の制御情報領域は、少なくとも１つの他のヌメロロジ方式の制御情報領域と重なっている。任意選択として、１つのヌメロロジ方式の制御情報領域の時間−周波数無線リソースは、別のヌメロロジ方式に従って、データ送信用に配分されるように使用可能である。任意選択として、ユーザ端末は、当該ユーザ端末が対応する１つまたは複数のヌメロロジ方式それぞれの制御情報領域をモニタリングすることにより、当該ユーザ端末宛てのリソース配分情報を受信する。任意選択として、複数のヌメロロジ方式の制御情報領域に関する情報がスケジューラによってユーザ端末に送信される。
【００９７】
第１１〜第１５の態様のうちの１つに加えて提供される第１７の態様によれば、共通制御情報領域が複数のヌメロロジ方式のうちの１つの参照リソースセット内に規定される。共通制御情報領域の時間−周波数無線リソースをスケジューラが使用することにより、リソース配分情報をユーザ端末に送信して、少なくとも別のヌメロロジ方式に従ってデータ送信用の無線リソースを配分することが可能である。ユーザ端末は、共通制御情報領域をモニタリングすることにより、当該ユーザ端末宛てのリソース配分情報を受信する。
【００９８】
第１８の態様によれば、モバイル通信システムにおいて時間−周波数無線リソースを配分するスケジューラが提供される。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。このスケジューラは、動作時に、複数のヌメロロジ方式に従って、時間−周波数無線リソースを１つまたは複数のユーザ端末に配分するリソース配分手順を実行するプロセッサを備える。リソース配分手順は、各ヌメロロジ方式に対して規定されたスケジューリング時間インターバルに基づいてヌメロロジ方式ごとにプロセッサにより実行される。
【００９９】
第１８の態様に加えて提供される第１９の態様によれば、リソース配分手順は、時間領域または周波数領域において互いに重なることなく各参照リソースセットに基づいて、時間領域および／または周波数領域において複数の時間−周波数無線リソース全体で複数のヌメロロジ方式が多重化されるように実行される。任意選択として、ヌメロロジ方式の参照リソースセットは、各ヌメロロジ方式に従って、リソース配分手順において配分可能な無線リソースに対する制限を設定する。
【０１００】
第１８または第１９の態様に加えて提供される第２０の態様によれば、ヌメロロジ方式の参照リソースセットは、複数の時間−周波数無線リソースの一部または複数の時間−周波数無線リソースの全部と関連付けられている。任意選択として、複数の時間−周波数無線リソースの一部は、連続または非連続周波数および／または期間で構成されている。任意選択として、１つの参照リソースセットの別の参照リソースセットとの重なりは、部分的または全体的である。
【０１０１】
第１８〜第２０の態様のうちの１つに加えて提供される第２１の態様によれば、ヌメロロジ方式に従った複数の時間−周波数無線リソースの区切りは、２つの連続するサブキャリア間の周波数距離を規定するサブキャリア間隔およびシンボル持続時間、リソーススケジューリングユニット当たりのサブキャリア数、ならびにリソーススケジューリングユニット当たりのシンボル数、というヌメロロジ特性のうちの少なくとも１つにおいて、別のヌメロロジ方式に従った複数の時間−周波数無線リソースの区切りと異なる。
【０１０２】
任意選択として、ヌメロロジ方式のヌメロロジ特性は、特定のユーザサービスの要件が満たされるように決まる。
【０１０３】
第１８〜第２１の態様のうちの１つに加えて提供される第２２の態様によれば、各ヌメロロジ方式の参照リソースセットに関する情報がスケジューラによりブロードキャストされる。任意選択として、各ヌメロロジ方式の参照リソースセットは、準静的に設定される。
【０１０４】
第１８〜第２２の態様のうちの１つに加えて提供される第２３の態様によれば、複数のヌメロロジ方式は、アップリンク送信方式および／またはダウンリンク送信方式に当てはまる。
【０１０５】
第１８〜第２３の態様のうちの１つに加えて提供される第２４の態様によれば、各ヌメロロジ方式に関して、少なくとも１つの制御情報領域が各ヌメロロジ方式の参照リソースセット内に規定される。制御情報領域の時間−周波数無線リソースをスケジューラが使用することにより、リソース配分情報をユーザ端末に送信して、各ヌメロロジ方式に従ってデータ送信用の無線リソースを配分することが可能である。任意選択として、少なくとも１つのヌメロロジ方式の制御情報領域は、少なくとも１つの他のヌメロロジ方式の制御情報領域と重なっている。任意選択として、１つのヌメロロジ方式の制御情報領域の時間−周波数無線リソースは、別のヌメロロジ方式に従って、データ送信用に配分されるように使用可能である。任意選択として、ユーザ端末は、当該ユーザ端末が対応する１つまたは複数のヌメロロジ方式それぞれの制御情報領域をモニタリングすることにより、当該ユーザ端末宛てのリソース配分情報を受信する。任意選択として、複数のヌメロロジ方式の制御情報領域に関する情報がスケジューラによってユーザ端末に送信される。
【０１０６】
第１８〜第２３の態様のうちの１つに加えて提供される第２５の態様によれば、共通制御情報領域が複数のヌメロロジ方式のうちの１つの参照リソースセット内に規定される。共通制御情報領域の時間−周波数無線リソースをスケジューラが使用することにより、リソース配分情報をユーザ端末に送信して、少なくとも別のヌメロロジ方式に従ってデータ送信用の無線リソースを配分することが可能である。
【０１０７】
第１８〜第２５の態様のうちの１つに加えて提供される第２６の態様によれば、第１のヌメロロジ方式に関してリソース配分手順を実行した後、第１のヌメロロジ方式に従って配分された時間−周波数無線リソースは、第１のヌメロロジ方式に従って配分された時間−周波数無線リソースの上書きであり、任意選択として、当該上書きされた時間−周波数無線リソースに関する情報がスケジューラによりブロードキャストされる、上書き、または第１のヌメロロジ方式に従って配分された時間−周波数無線リソースの上書きおよび第１のヌメロロジ方式に従って配分された後続の時間−周波数無線リソースのレートマッチングの追加の実行であり、当該上書きされた時間−周波数無線リソースに関する情報がスケジューラによりブロードキャストされる、上書きおよびレートマッチングの追加の実行、によって、第１のヌメロロジ方式よりもスケジューリング時間インターバルが短い第２のヌメロロジ方式に従って再配分される。
【０１０８】
第１８〜第２６の態様のうちの１つに加えて提供される第２７の態様によれば、第１のヌメロロジ方式に従って配分された時間−周波数無線リソースのリソース配分情報は、配分された時間−周波数無線リソース内で予約され、第１のヌメロロジ方式よりもスケジューリング時間インターバルが短い第２のヌメロロジ方式に従って配分される予約時間−周波数無線リソースを示す。
【０１０９】
第２８の態様によれば、モバイル通信システムにおいて時間−周波数無線リソースを配分するスケジューラからリソース配分情報を受信するユーザ端末が提供される。複数のヌメロロジ方式が規定され、それぞれが、モバイル通信システムの複数の時間−周波数無線リソースをリソーススケジューリングユニットへと別様に区切っている。参照リソースセットがヌメロロジ方式ごとに規定され、各参照リソースセットが、各ヌメロロジ方式に従って配分されるように使用可能な時間−周波数無線リソースセットに関連付けられている。少なくとも１つのヌメロロジ方式の参照リソースセットは、周波数領域および／または時間領域において、少なくとも別のヌメロロジ方式の参照リソースセットと重なっている。スケジューラがリソース配分手順を実行することにより、複数のヌメロロジ方式に従って、時間−周波数無線リソースを１つまたは複数のユーザ端末に配分する。リソース配分手順は、各ヌメロロジ方式に対して規定されたスケジューリング時間インターバルに基づいてヌメロロジ方式ごとにスケジューラにより実行される。このユーザ端末は、動作時に、スケジューラによって当該ユーザ端末に配分された時間−周波数無線リソースに関するリソース配分情報を受信する受信機を備える。
【０１１０】
第２８の態様に加えて提供される第２９の態様によれば、リソース配分手順は、時間領域または周波数領域において互いに重なることなく各参照リソースセットに基づいて、時間領域および／または周波数領域において複数の時間−周波数無線リソース全体で複数のヌメロロジ方式が多重化されるようにスケジューラにより実行される。任意選択として、ヌメロロジ方式の参照リソースセットは、各ヌメロロジ方式に従って、リソース配分手順において配分可能な無線リソースに対する制限を設定する。
【０１１１】
第２８または第２９の態様に加えて提供される第３０の態様によれば、ヌメロロジ方式の参照リソースセットは、複数の時間−周波数無線リソースの一部または複数の時間−周波数無線リソースの全部と関連付けられている。任意選択として、複数の時間−周波数無線リソースの一部は、連続または非連続周波数および／または期間で構成されている。任意選択として、１つの参照リソースセットの別の参照リソースセットとの重なりは、部分的または全体的である。
【０１１２】
第２８〜第３０の態様のうちの１つに加えて提供される第３１の態様によれば、ヌメロロジ方式に従った複数の時間−周波数無線リソースの区切りは、２つの連続するサブキャリア間の周波数距離を規定するサブキャリア間隔およびシンボル持続時間、リソーススケジューリングユニット当たりのサブキャリア数、ならびにリソーススケジューリングユニット当たりのシンボル数、というヌメロロジ特性のうちの少なくとも１つにおいて、別のヌメロロジ方式に従った複数の時間−周波数無線リソースの区切りと異なる。
【０１１３】
任意選択として、ヌメロロジ方式のヌメロロジ特性は、特定のユーザサービスの要件が満たされるように決まる。
【０１１４】
第２８〜第３１の態様のうちの１つに加えて提供される第３２の態様によれば、各ヌメロロジ方式の参照リソースセットに関する情報は、スケジューラによるブロードキャストを通じて受信機により受信される。任意選択として、各ヌメロロジ方式の参照リソースセットは、準静的に設定される。
【０１１５】
第２８〜第３２の態様のうちの１つに加えて提供される第３３の態様によれば、各ヌメロロジ方式に関して、少なくとも１つの制御情報領域が各ヌメロロジ方式の参照リソースセット内に規定される。制御情報領域の時間−周波数無線リソースをスケジューラが使用することにより、リソース配分情報をユーザ端末に送信して、各ヌメロロジ方式に従ってデータ送信用の無線リソースを配分することが可能である。任意選択として、少なくとも１つのヌメロロジ方式の制御情報領域は、少なくとも１つの他のヌメロロジ方式の制御情報領域と重なっている。任意選択として、１つのヌメロロジ方式の制御情報領域の時間−周波数無線リソースは、別のヌメロロジ方式に従って、データ送信用に配分されるように使用可能である。任意選択として、ユーザ端末は、当該ユーザ端末が対応する１つまたは複数のヌメロロジ方式それぞれの制御情報領域をモニタリングすることにより、当該ユーザ端末宛てのリソース配分情報を受信する。任意選択として、複数のヌメロロジ方式の制御情報領域に関する情報がスケジューラによってユーザ端末に送信される。
【０１１６】
第２８〜第３２の態様のうちの１つに加えて提供される第３４の態様によれば、共通制御情報領域が複数のヌメロロジ方式のうちの１つの参照リソースセット内に規定される。共通制御情報領域の時間−周波数無線リソースをスケジューラが使用することにより、リソース配分情報をユーザ端末に送信して、少なくとも別のヌメロロジ方式に従ってデータ送信用の無線リソースを配分することが可能である。ユーザ端末は、共通制御情報領域をモニタリングすることにより、当該ユーザ端末宛てのリソース配分情報を受信する。
【０１１７】
（本開示のハードウェアおよびソフトウェア実装）
他の例示的な実施形態は、ハードウェア、ソフトウェア、またはハードウェアと連携したソフトウェアの使用による上述の種々実施形態の実装に関する。これに関連して、ユーザ端末（移動端末）が提供される。ユーザ端末は、本明細書に記載の方法を実行するように構成されており、受信機、送信機、プロセッサ等の対応するエンティティがこれらの方法に適宜関与する。
【０１１８】
コンピュータ機器（プロセッサ）を用いて種々実施形態が実装または実行され得ることもさらに認識される。コンピュータ機器またはプロセッサは、たとえば汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラム可能な論理デバイス等であってもよい。また、種々実施形態は、これらのデバイスの組み合わせによって実行または具現化されていてもよい。特に、上述の各実施形態の説明に使用した各機能ブロックは、集積回路としてのＬＳＩにより実現可能である。これらは、チップとして個々に形成されていてもよいし、機能ブロックの一部または全部を含むように１つのチップが形成されていてもよい。これらは、データ入出力が結合されていてもよい。ここで、ＬＳＩは、集積度の違いに応じて、ＩＣ、システムＬＳＩ、超ＬＳＩ、極超ＬＳＩとも称し得る。ただし、集積回路を実装する技術はＬＳＩに限定されず、個別回路または汎用プロセッサを用いることにより実現されるようになっていてもよい。また、ＬＳＩの製造後にプログラム可能なＦＰＧＡ（フィールドプログラマブルゲートアレイ）またはＬＳＩの内側に配設された回路セルの接続および設定を再構成可能な再構成可能プロセッサが用いられるようになっていてもよい。
【０１１９】
さらに、種々実施形態は、プロセッサによる実行またはハードウェアにおける直接的な実行が行われるソフトウェアモジュールによって実装されていてもよい。また、ソフトウェアモジュールおよびハードウェア実装の組み合わせも可能と考えられる。ソフトウェアモジュールは、たとえばＲＡＭ、ＥＰＲＯＭ、ＥＥＰＲＯＭ、フラッシュメモリ、レジスタ、ハードディスク、ＣＤ−ＲＯＭ、ＤＶＤ等、如何なる種類のコンピュータ可読記憶媒体に格納されていてもよい。さまざまな実施形態の個々の特徴は、個別または任意の組み合わせにより、別の実施形態の主題であってもよいことにさらに留意されたい。
【０１２０】
当業者には当然のことながら、特定の実施形態に示すように、本開示の多くの変形および／または改良が可能である。したがって、本実施形態は、あらゆる点で例示に過ぎず、何ら限定的なものではないと考えるべきである。
【図１Ａ】
2019532533.tif 000003
【図１Ｂ】
2019532533.tif 000004
【図１Ｃ】
2019532533.tif 000005
【図２】
2019532533.tif 000006
【図３】
2019532533.tif 000007
【図４】
2019532533.tif 000008
【図５】
2019532533.tif 000009
【図６】
2019532533.tif 000010
【図７】
2019532533.tif 000011
【図８】
2019532533.tif 000012
【図９】
2019532533.tif 000013
【図１０】
2019532533.tif 000014
【図１１】
2019532533.tif 000015
【図１２】
2019532533.tif 000016
【図１３】
2019532533.tif 000017
【図１４】
2019532533.tif 000018
【図１５】
2019532533.tif 000019
【図１６】
2019532533.tif 000020
【国際調査報告】
2019532533.tif 000021